【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
撮像手段と、前記撮像手段の撮像時の撮像レートを設定する撮像レート設定手段とを備え、前記設定された撮像レートに応じて前記撮像手段による撮像を行う撮像装置において、
前記撮像レート設定手段により互いに異なる撮像レートが設定された第１の撮影動作モードと第２の撮影動作モードとを切り替える切替手段と、
前記第１の撮影動作モードによる動画像の撮像中に前記第２の撮影動作モードに切り替えられたときは、前記第１の撮影動作モードによる動画像の撮影条件から前記第２の撮影動作モードによる動画像の撮影条件に切り替えて前記撮像手段に撮像させ、一連の映像信号情報として記録媒体に記録させる撮像制御手段と、を備えることを特徴とする撮像装置。
【請求項２】
前記撮像手段の撮像時の撮像解像度を設定する解像度設定手段を更に備え、
前記切替手段は、前記撮像レート設定手段及び前記解像度設定手段により前記撮像レート及び前記撮像解像度の少なくとも１つが互いに異なるように設定された前記第１の撮影動作モードと前記第２の撮影動作モードとを切り替えることを特徴とする請求項１記載の撮像装置。
【請求項３】
前記第２の撮影動作モードに設定された撮像解像度は、前記第１の撮影動作モードに設定された撮像解像度よりも大きく設定されていることを特徴とする請求項２記載の撮像装置。
【請求項４】
前記第１及び前記第２の撮影動作モードを始動又は終了させるための指示を受け付ける指示手段を更に備え、
前記切替手段は、前記第１の撮影動作モードの始動が指示された後、当該第１の撮影動作モードによる動画像の撮像中に前記指示手段により前記第２の撮影動作モードの始動が指示されたときは、前記第２の撮影動作モードに切り替え、前記第２の撮影動作モードの終了が指示されたときは、前記第２の撮影動作モードを終了して前記第１の撮影動作モードに切り替えると共に、前記第１の撮影動作モードを終了することを特徴とする請求項１乃至３のいずれか１項に記載の撮像装置。
【請求項５】
前記撮像手段は静止画像の撮像が可能であり、
前記映像信号情報は複数の静止画により構成された動画像であることを特徴とする請求項１乃至４のいずれか１項に記載の撮像装置。
【請求項６】
前記映像信号情報は、少なくとも撮像信号の水平、垂直の構成画素数と撮像信号のフレームとを含み、前記撮影動作モードを示すモード情報を含む動画像ファイルとして生成され、前記記録媒体に記録されることを特徴とする請求項１乃至５のいずれか１項に記載の撮像装置。
【請求項７】
前記撮像制御手段は、前記第１の撮影動作モードと前記第２の撮影動作モードの切替に応じて、前記撮影条件を変更することを特徴とする請求項１乃至６のいずれか１項に記載の撮像装置。
【請求項８】
前記撮像制御手段は、前記第１の撮影動作モードと前記第２の撮影動作モードの切替に応じて、前記撮影条件の変更を段階的に行うことを特徴とする請求項１乃至６のいずれか１項に記載の撮像装置。
【請求項９】
前記撮像制御手段は、前記第１の撮影動作モードと前記第２の撮影動作モードの切替に応じて、前記第１及び前記第２の撮影動作モード毎に前記撮影条件を変更することを特徴とする請求項１乃至８のいずれか１項に記載の撮像装置。
【請求項１０】
前記撮影条件は、前記撮像手段に含まれる撮像素子の読み出し方式と、自動露出制御、自動焦点制御、自動ホワイトバランス制御、及び自動感度制御のそれぞれのパラメータであることを特徴とする請求項１乃至９のいずれか１項に記載の撮像装置。
【請求項１１】
撮像手段と、前記撮像手段の撮像時の撮像レートを設定する撮像レート設定手段とを備え、前記設定された撮像レートに応じて前記撮像手段による撮像を行う撮像装置の制御方法において、
前記撮像レート設定手段により互いに異なる撮像レートが設定された第１の撮影動作モードと第２の撮影動作モードとを切り替える切替工程と、
前記第１の撮影動作モードによる動画像の撮像中に前記第２の撮影動作モードに切り替えられたときは、前記第１の撮影動作モードによる動画像の撮影条件から前記第２の撮影動作モードによる動画像の撮影条件に切り替えて前記撮像手段に撮像させ、一連の映像信号情報として記録媒体に記録させる撮像制御工程とを備えることを特徴とする制御方法。
【請求項１２】
前記撮像装置は前記撮像手段の撮像時の撮像解像度を設定する解像度設定手段を備え、
前記切替工程は、前記撮像レート設定手段及び前記解像度設定手段により前記撮像レート及び前記撮像解像度の少なくとも１つが互いに異なるように設定された前記第１の撮影動作モードと前記第２の撮影動作モードとを切り替えることを特徴とする請求項１１記載の制御方法。
【請求項１３】
前記第２の撮影動作モードに設定された撮像解像度は、前記第１の撮影動作モードに設定された撮像解像度よりも大きく設定されていることを特徴とする請求項１２記載の制御方法。
【請求項１４】
前記撮像装置は前記第１及び前記第２の撮影動作モードを始動又は終了させるための指示を受け付ける指示手段を備え、
前記切替工程は、前記第１の撮影動作モードの始動が指示された後、当該第１の撮影動作モードによる動画像の撮像中に前記指示手段により前記第２の撮影動作モードの始動が指示されたときは、前記第２の撮影動作モードに切り替え、前記第２の撮影動作モードの終了が指示されたときは、前記第２の撮影動作モードを終了して前記第１の撮影動作モードに切り替えると共に、前記第１の撮影動作モードを終了することを特徴とする請求項１１乃至１３のいずれか１項に記載の制御方法。
【請求項１５】
前記撮像手段は静止画像の撮像が可能であり、
前記映像信号情報は複数の静止画により構成された動画像であることを特徴とする請求項１１乃至１４のいずれか１項に記載の制御方法。
【請求項１６】
前記映像信号情報は、少なくとも撮像信号の水平、垂直の構成画素数と撮像信号のフレームとを含み、前記撮影動作モードを示すモード情報を含む動画像ファイルとして生成され、前記記録媒体に記録されることを特徴とする請求項１１乃至１５のいずれか１項に記載の制御方法。
【請求項１７】
前記撮像制御工程は、前記第１の撮影動作モードと前記第２の撮影動作モードの切替に応じて、前記撮影条件を変更することを特徴とする請求項１１乃至１６のいずれか１項に記載の制御方法。
【請求項１８】
前記撮像制御工程は、前記第１の撮影動作モードと前記第２の撮影動作モードの切替に応じて、前記撮影条件の変更を段階的に行うことを特徴とする請求項１１乃至１６のいずれか１項に記載の制御方法。
【請求項１９】
前記撮像制御工程は、前記第１の撮影動作モードと前記第２の撮影動作モードの切替に応じて、前記第１及び前記第２の撮影動作モード毎に前記撮影条件を変更することを特徴とする請求項１１乃至１８のいずれか１項に記載の制御方法。
【請求項２０】
前記撮影条件は、前記撮像手段に含まれる撮像素子の読み出し方式と、自動露出制御、自動焦点制御、自動ホワイトバランス制御、及び自動感度制御のそれぞれのパラメータであることを特徴とする請求項１１乃至１９のいずれか１項に記載の制御方法。
【請求項２１】
請求項１１乃至２０のいずれか１項に記載の制御方法をコンピュータに実行させるためのコンピュータに読み取り可能なプログラム。 
【手続補正２】
【補正対象書類名】明細書
【補正対象項目名】００１１
【補正方法】変更
【補正の内容】
【００１１】
上記目的を達成するために、請求項１記載の撮像装置は、撮像手段と、前記撮像手段の撮像時の撮像レートを設定する撮像レート設定手段とを備え、前記設定された撮像レートに応じて前記撮像手段による撮像を行う撮像装置において、前記撮像レート設定手段により互いに異なる撮像レートが設定された第１の撮影動作モードと第２の撮影動作モードとを切り替える切替手段と、前記第１の撮影動作モードによる動画像の撮像中に前記第２の撮影動作モードに切り替えられたときは、前記第１の撮影動作モードによる動画像の撮影条件から前記第２の撮影動作モードによる動画像の撮影条件に切り替えて前記撮像手段に撮像させ、一連の映像信号情報として記録媒体に記録させる撮像制御手段と、を備えることを特徴とする。  
【手続補正３】
【補正対象書類名】明細書
【補正対象項目名】００１２
【補正方法】変更
【補正の内容】
【００１２】
上記目的を達成するために、請求項１１記載の撮像装置の制御方法は、撮像手段と、前記撮像手段の撮像時の撮像レートを設定する撮像レート設定手段とを備え、前記設定された撮像レートに応じて前記撮像手段による撮像を行う撮像装置の制御方法において、前記撮像レート設定手段により互いに異なる撮像レートが設定された第１の撮影動作モードと第２の撮影動作モードとを切り替える切替工程と、前記第１の撮影動作モードによる動画像の撮像中に前記第２の撮影動作モードに切り替えられたときは、前記第１の撮影動作モードによる動画像の撮影条件から前記第２の撮影動作モードによる動画像の撮影条件に切り替えて前記撮像手段に撮像させ、一連の映像信号情報として記録媒体に記録させる撮像制御工程とを備えることを特徴とする。